(57)【要約】【課題】スラブの振動性状を向上させ、強度的に安定したスラブの構築を可能とするハーフプレキャストコンクリートスラブ及びスラブの構築方法を提供する。【解決手段】ラーメン式高架橋１０等のラーメン構造のコンクリート構造物の施工に際して、施工中の梁１３に対して互いに対向する一対の側縁部１４ａ１がそれぞれ載置された状態に設置され、設置後、上部にコンクリート１４ａ１０が打設されるハーフプレキャストコンクリートスラブ（中間スラブ１４）である。下端筋１４ａ６が予め埋設されていて、前記一対の側縁部１４ａ１を繋ぐ方向に略沿ってプレストレスが導入され、前記一対の側縁部１４ａ１にハンチを有さないスラブ本体１４ａと、前記梁１３に対して載置された状態のスラブ本体１４ａの側縁部１４ａ１と前記梁１３内部とにそれぞれ所定長さ跨る状態に配筋され、前記コンクリート１４ａ１０に埋設される重ね継手筋１４ｂとを備える。【選択図】      図１
2004339867.tif 000002
【特許請求の範囲】
【請求項１】
ラーメン構造のコンクリート構造物の施工に際して、施工中の梁に対して互いに対向する一対の側縁部がそれぞれ載置された状態に設置され、設置後、上部にコンクリートが打設されるハーフプレキャストコンクリートスラブであって、
下端筋が予め埋設されるとともに、前記一対の側縁部を繋ぐ方向に略沿ってプレストレスが導入され、かつ前記一対の側縁部にハンチを有さないスラブ本体と、
前記梁に対して載置された状態のスラブ本体の側縁部と前記梁内部とにそれぞれ所定長さ跨る状態に配筋され、前記コンクリートに埋設される重ね継手筋とを備えることを特徴とするハーフプレキャストコンクリートスラブ。
【請求項２】
前記スラブ本体において、前記一対の側縁部以外の側縁部には、予め埋設された下端筋が外側に突出し、この突出部の先端部が内側に向けて折り曲げられて略Ｕ字状に形成された継手筋が、所定間隔で複数設けられていることを特徴とする請求項１に記載のハーフプレキャストコンクリートスラブ。
【請求項３】
前記コンクリート構造物は、ラーメン式高架橋であることを特徴とする請求項１又は２に記載のハーフプレキャストコンクリートスラブ。
【請求項４】
ラーメン構造のコンクリート構造物の施工に際して、請求項１〜３のいずれか一項に記載のハーフプレキャストコンクリートスラブを用いて行うスラブの構築方法であって、
前記スラブ本体を、その互いに対向する一対の側縁部が施工中の梁に対してそれぞれ載置される状態に設置するスラブ本体設置工程と、
前記梁に対して載置された状態のスラブ本体の側縁部と前記梁内部とにそれぞれ所定長さ跨る状態に前記重ね継手筋を配筋する重ね継手筋配筋工程と、
上端筋を配筋後、前記スラブ本体上部に対し、前記重ね継手筋が埋設される状態にコンクリートを打設するコンクリート打設工程とを含むことを特徴とするスラブの構築方法。
【発明の詳細な説明】
【０００１】
【発明の属する技術分野】
本発明は、ラーメン式構造物の施工に際して、そのスラブを構築するためのハーフプレキャストコンクリートスラブ及びスラブの構築方法に関するものである。
【０００２】
【従来の技術】
交通路線等の上部に構築される高架橋としては、いわゆるラーメン式高架橋がある。このラーメン式高架橋は、一般に、互いに所定間隔を隔てた対向する位置にぞれぞれ一方向に略沿って所定間隔で柱が立設され、これら柱がそれらの柱頭部で梁によって連結され、さらにスラブが互いに対向する位置の梁にそれぞれ剛接されて形成される。ラーメン式高架橋は、そのラーメン架構によって大きな積載荷重を負担できること等の理由から、鉄道高架橋に多用されている。従来におけるラーメン式高架橋の施工は、以下の方法が一般的である。すなわち、先ず、柱を現場配筋するとともに、梁及びスラブの支保工を設置する。次に、梁及びスラブの下型枠を組み立て、梁及びスラブの現場配筋を行った後、梁の側型枠を組み立てる。そして、梁、スラブに対してコンクリートを打設し、所定期間の養生の後、型枠及び支保工を解体する、という方法である。この場合、図５に示すように、スラブ１１４の側縁部には、地震時における曲モーメント等の対策から、下方に傾斜するハンチ１１４ａが形成され、このハンチ１１４ａには梁１１３に定着されるハンチ筋１１４ｂが埋設される施工方法が一般的である。
【０００３】
上記従来技術は、施工者等が公然と実施していたものの特許文献としては開示されていなかった。
【０００４】
【発明が解決しようとする課題】
しかしながら、上記従来技術には、スラブ１１４の施工に際して、スラブ１１４下面全面にわたって型枠及び支保工の設置が必要であり、型枠の組立及び解体作業が煩雑であり、また、ハンチ１１４ａを形成する施工手間も大きかった。
【０００５】
この場合、スラブ１１４をプレキャスト化し、型枠を省略することが考えられるが、以下のような問題がある。すなわち、一般にプレキャストコンクリートスラブは、その両側縁部が施工中の梁に載置される状態に設置されるが、前記載置作業は、前記側縁部から梁内部への定着鉄筋が突出していると、この鉄筋が邪魔となって円滑に行うことが困難である。ましてや、ハンチ筋が下方に突出したハンチが前記側縁部に形成されている場合にはより困難となる。したがって、プレキャストコンクリートスラブは、その側縁部にハンチが形成できないことにより地震時等における強度的な安定性に欠け、また、一般に、定着鉄筋による梁との剛結がなされておらず、スラブの振動性状に影響が及んでいた。
【０００６】
本発明の課題は、スラブの振動性状を向上させ、強度的に安定したスラブの構築を可能とするハーフプレキャストコンクリートスラブ及びスラブの構築方法を提供することである。
【０００７】
【課題を解決するための手段】
以上の課題を解決するために、請求項１に記載の発明は、例えば図１、図２に示すように、
ラーメン構造のコンクリート構造物（ラーメン式高架橋１０）の施工に際して、施工中の梁１３に対して互いに対向する一対の側縁部１４ａ１がそれぞれ載置された状態に設置され、設置後、上部にコンクリート１４ａ１０が打設されるハーフプレキャストコンクリートスラブ（中間スラブ１４）であって、
下端筋１４ａ６が予め埋設されるとともに、前記一対の側縁部１４ａ１を繋ぐ方向に略沿ってプレストレスが導入され、かつ前記一対の側縁部１４ａ１にハンチを有さないスラブ本体１４ａと、
前記梁１３に対して載置された状態のスラブ本体１４ａの側縁部１４ａ１と前記梁１３内部とにそれぞれ所定長さ跨る状態に配筋され、前記コンクリート１４ａ１０に埋設される重ね継手筋１４ｂとを備えることを特徴としている。
【０００８】
請求項１に記載の発明によれば、ハーフプレキャストコンクリートスラブにおいては、下端筋が予め埋設されるとともに、梁に対して互いに対向する一対の側縁部を繋ぐ方向に略沿ってプレストレスが導入されている。プレストレスが導入されていることで、ハーフプレキャストコンクリートスラブを支保工なしで足場としても兼用できるとともに、従来のような地震時における曲モーメント対策が、スラブ本体の側縁部にハンチを形成することなく行え、強度的に安定する。また、前記重ね継手筋によって、梁とスラブ本体とが剛結されるため、スラブの振動性状が向上する。
【０００９】
前記コンクリート構造物としては、例えば道路橋や鉄道橋等の高架橋が挙げられるが特に限定されるものではなく、一般の建築物等でもよい。
【００１０】
前記施工中の梁とは、在来工法によるもの、プレキャストコンクリート梁のいずれでもよい。
【００１１】
請求項２に記載の発明は、例えば図１、図４に示すように、請求項１に記載のハーブプレキャストコンクリートスラブにおいて、
前記スラブ本体１４ａにおいて、前記一対の側縁部１４ａ１以外の側縁部１４ａ２には、予め埋設された下端筋１４ａ６が外側に突出し、この突出部の先端部が内側に向けて折り曲げられて略Ｕ字状に形成された継手筋（ループ状継手筋１４ａ７）が、所定間隔で複数設けられていることを特徴としている。
【００１２】
請求項２に記載の発明によれば、前記一対の側縁部以外の側縁部には、予め埋設された下端筋が外側に突出し、この突出部の先端部が内側に向けて折り曲げられて略Ｕ字状に形成された継手筋が、所定間隔で複数設けられている。したがって、前記一対の側縁部を繋ぐ方向と直交する方向に、前記スラブ本体を複数剛結することができる。したがって、スラブの振動性状がさらに向上する。
【００１３】
請求項３に記載の発明は、例えば図１に示すように、請求項１又は２に記載のハーフプレキャストコンクリートスラブにおいて、
前記コンクリート構造物は、ラーメン式高架橋１０であることを特徴としている。
【００１４】
請求項３に記載の発明によれば、ラーメン式高架橋の施工を、スラブの側縁部にハンチを形成することなく強度的に安定させ、また、スラブの振動性状を向上させた状態に行うことができる。
【００１５】
前記ラーメン式高架橋とは、そのラーメン架構によって大きな積載荷重を負担できること等の理由から、鉄道高架橋に多用されている。
【００１６】
請求項４に記載の発明は、例えば図１、図２に示すように、
ラーメン構造のコンクリート構造物（ラーメン式高架橋１０）の施工に際して、請求項１〜３のいずれか一項に記載のハーフプレキャストコンクリートスラブ（中間スラブ１４）を用いて行うスラブの構築方法であって、
前記スラブ本体１４ａを、その互いに対向する一対の側縁部１４ａ１が施工中の梁１３に対してそれぞれ載置される状態に設置するスラブ本体設置工程と、
前記梁１３に対して載置された状態のスラブ本体１４ａの側縁部１４ａ１と前記梁１３内部とにそれぞれ所定長さ跨る状態に前記重ね継手筋１４ｂを配筋する重ね継手筋配筋工程と、
上端筋１４ａ８を配筋後、前記スラブ本体１４ａ上部に対し、前記重ね継手筋１４ｂが埋設される状態にコンクリート１４ａ１０を打設するコンクリート打設工程とを含むことを特徴としている。
【００１７】
請求項４に記載の発明によれば、前記スラブ本体設置工程においては、前記スラブ本体が、その前記一対の側縁部が前記梁に対してそれぞれ載置される状態に設置される。前記重ね継手筋配筋工程においては、前記スラブ本体の側縁部と前記梁内部とにそれぞれ所定長さ跨る状態に前記重ね継手筋が配筋される。前記コンクリート打設工程においては、上端筋の配筋後、スラブ本体上部に対し、前記重ね継手筋が埋設される状態にコンクリートが打設される。これにより、前記重ね継手筋によって、梁とスラブ本体とが剛結されるため、スラブの振動性状が向上する。また、前記ハーフプレキャストコンクリートスラブにおいては、下端筋が予め埋設されるとともに、前記一対の側縁部を繋ぐ方向に略沿ってプレストレスが導入されている。プレストレスが導入されていることで、ハーフプレキャストコンクリートスラブを支保工なしで足場としても兼用できるとともに、従来のような地震時における曲モーメント対策が、スラブ本体の側縁部にハンチを形成することなく容易に行え、強度的に安定する。したがって、ラーメン構造のコンクリート構造物の施工を、スラブの側縁部にハンチを形成することなく強度的に安定させ、また、スラブの振動性状を向上させた状態に行うことができる。
【００１８】
【発明の実施の形態】
本発明の躯体の構築方法を、図１〜図４を参照して詳細に説明する。
図１等において符号１０は、本発明に係るプレキャストコンクリートスラブを用いて構築されるラーメン式高架橋（コンクリート構造物）を示す。このラーメン式高架橋１０は、例えば道路橋や鉄道橋として用いられるものである。
【００１９】
このラーメン式高架橋１０は、図１（ａ）に示すように、互いに所定間隔を隔てた位置に、それぞれ一方向に略沿って所定間隔で立設される柱１１と、これら柱１１をその柱脚部及び柱頭部で連結する基礎梁１２及び梁１３と、施工中の梁１３に対して互いに対向する一対の側縁部１４ａがそれぞれ載置された状態に設置される中間スラブ１４（ハーフプレキャストコンクリートスラブ）と、施工中の梁１３に対して一方の側縁部１５ａが隣接する状態にローリングタワー１６等を介して設置される跳ね出しスラブ１５等で概略構成されている。
【００２０】
本実施の形態において柱１１、基礎梁１２、梁１３は、現場配筋の後、コンクリートが現場打設されたものである。
【００２１】
中間スラブ１４や跳ね出しスラブ１５は、図２にも示すように、設置後、上部にコンクリートが打設されるハーフプレキャストコンクリートスラブである。中間スラブ１４や跳ね出しスラブ１５は、工場や現場近傍で予め部材として施工されるものである。
【００２２】
中間スラブ１４は、スラブ本体１４ａと重ね継手筋１４ｂとで概略構成されている。図１（ｂ）は、本発明に係るスラブ本体１４ａを示す部分拡大図である。スラブ本体１４ａは、矩形状に、側縁部１４ａ１、１４ａ２にハンチを有さない状態に形成されている。スラブ本体１４ａには、上方に突出する状態にトラス筋１４ａ３が埋設されている。このトラス筋１４ａ３は、長尺な鉄筋がトラス状に折り曲げられて形成されたものであり、このトラス筋１４ａ３の頂部と底部とには、補強筋１４ａ４、１４ａ５がトラス筋１４ａ３に沿って溶接固定されている。
【００２３】
スラブ本体１４ａには、下端筋１４ａ６が予め縦横に埋設されていて、前記一対の側縁部１４ａを繋ぐ方向に沿うＰＣ鋼より線（不図示）には、プレストレスが予め導入されている。このようにプレストレスが予め導入されていることで、スラブ本体１４ａを支保工なしで足場としても兼用できるとともに、従来のような地震時における曲モーメント対策が、スラブ本体１４ａの側縁部１４ａ１にハンチを形成することなく行われて強度的に安定している。
【００２４】
重ね継手筋１４ｂは、図２に示すように、梁１３に対して載置された状態のスラブ本体１４ａの側縁部１４ａ１と梁１３内部とにそれぞれ所定長さ跨る状態に配筋され、スラブ本体１４ａの上部に打設されるコンクリート１４ａ１０に埋設されるものである。重ね継手筋１４ｂは、所定径を有しており、所定間隔で設けられる。重ね継手筋１４ｂによって、梁１３とスラブ本体１４ａとが剛結されるため、スラブの振動性状が向上するようなっている。
【００２５】
なお、図３は、梁（梁１３、梁１１３）に対するスラブ（スラブ本体１４ａ、スラブ１１４）の固定状況を調べるための実験装置２０を示す断面図であり、（ｂ）は、在来工法によるモデル（図５参照）と本発明に係る工法によるモデル（図２参照）とを、（ａ）の実験装置を用いて実験した結果それぞれ得られた荷重ー変形関係を対比しながらグラフ化した図である。図３（ａ）において、符号２１、２２は、モデルを実験装置２０に固定するためのＰＣ鋼棒及び連結部材をそれぞれ示し、符号２３は、加振装置を示す。図３（ｂ）に示すように、本発明に係る工法における梁１３に対するスラブ本体１４ａの固定は、従来の在来工法における梁１１３に対するスラブ１１４の固定に比べても、強度的に遜色がない。
【００２６】
スラブ本体１４ａの側縁部１４ａ１、１４ａ２のうち、前記一対の側縁部１４ａ１以外の側縁部１４ａ２には、図１（ｂ）、図４（ａ）、図４（ｂ）に示すように、予め埋設された下端筋１４ａ６が外側に突出し、この突出部の先端部が内側に向けて折り曲げられて略Ｕ字状に形成されたループ状継手筋１４ａ７が、所定間隔で複数設けられている。このループ状継手筋１４ａ７によって、前記一対の側縁部１４ａ１を繋ぐ方向と直交する方向に、前記スラブ本体１４ａを複数剛結し、スラブの振動性状をさらに向上させることができるようになっている。
【００２７】
なお、図４（ａ）、図４（ｂ）は、本発明に係る中間スラブ１４のループ状継手筋１４ａ７の一例を示す断面図であり、図４（ｃ）は、このループ状継手筋１４ａ７の疲労振幅強度を、実験値と計算値とで対比したグラフを示す図である。
【００２８】
図４（ａ）は、側縁部１４ａ２からそれぞれ突出したループ状継手筋１４ａ７に囲まれた部分に鉄筋１４ａ８が配筋され、これらループ状継手筋１４ａ７及び前記鉄筋１４ａ８を埋設する状態に、スラブ本体１４ａの上部に打設されるコンクリート１４ａ１０が連続して打設されて形成された継手部を示す図である。なお、図４（ａ）において、符号１４ａ９は、メッシュ筋を示す。また、図４（ｂ）は、側縁部１４ａ２からそれぞれ突出したループ状継手筋１４ａ７に囲まれた部分には、鉄筋１４ａ８が配筋されず、さらに、ループ状継手筋１４ａ７が、スラブ本体１４ａの上部に打設されるコンクリート１４ａ１０とは別の鋼繊維コンクリート１４ａ１１に埋設されて形成された継手部を示す図である。これら継手部の形態は、施工状況、部位等に応じて適宜使い分ければよい。
【００２９】
なお、図４（ｃ）には、本発明に係る工法において、スラブ本体１４ａを、前記一対の側縁部１４ａを繋ぐ方向と直交する方向に、複数安定的に剛結していくことができることが示されている。
【００３０】
なお、跳ね出しスラブ１５は、中間スラブ１４と同様に、上方に突出する状態にトラス筋が予め埋設されたものである。
【００３１】
以下、本発明に係るラーメン式高架橋１０の施工方法について工程ごとに説明する。
【００３２】
［柱梁構築工程］
先ず、基礎等を構築後、互いに所定間隔を隔てた位置に、それぞれ一方向に略沿って所定間隔で柱１１の配筋を行い、これら柱１１をその柱脚部で連結する基礎梁１２の配筋も行う。そして、柱１１の柱脚部及び基礎梁にコンクリートを打設し、所定期間養生させる。次に、柱１１を柱頭部まで配筋後、梁１３の配筋を行い、配筋された柱１１及び梁１３に対し、中間スラブ１４の下面となる位置までそれぞれコンクリートを打設し、所定期間養生させる。
【００３３】
［スラブ本体設置工程］
次に、コンクリートが途中まで打設された梁１３に対して、スラブ本体１４ａを、その互いに対向する一対の側縁部１４ａがそれぞれ載置される状態に設置する。なお、スラブ本体１４ａは梁１３に支持される状態で設置され、スラブ本体１４ａに予め縦横に下端筋１４ａ６が埋設されていて、前記一対の側縁部１４ａ１を繋ぐ方向に沿うＰＣ鋼より線には、プレストレスが予め導入されているため、特に支保工等を用いる必要はない。
【００３４】
なお、跳ね出しスラブ１５は、その一方の側縁部１５ａが梁１３に対して隣接する状態に、ローリングタワー１６等に支持させて設置する。
【００３５】
さらに、スラブ本体１４ａを、図４（ａ）、図４（ｂ）に示すループ状継手筋１４ａ７が形成された側縁部１４ａ２が対向する状態に、複数隣接して設置していく。
【００３６】
［重ね継手筋配筋工程］
次に、梁１３に対して載置された状態のスラブ本体１４ａの側縁部１４ａと梁１３内部とにそれぞれ所定長さ跨る状態に重ね継手筋１４ｂを配筋する。
【００３７】
また、跳ね出しスラブ１５の側縁部１５ａと梁１３内部とにそれぞれ所定長さ跨る状態に図示しない重ね継手筋１４ｂを配筋する。
【００３８】
［コンクリート打設工程］
次に、上端筋１４ａ８の配筋後、スラブ本体１４ａ及び跳ね出しスラブ１５の上部に対し、コンクリート１４ａ１０を打設し、所定期間養生を行う。コンクリート１４ａ１０の打設は、重ね継手筋１４ｂ、跳ね出しスラブ１５用の図示しない重ね継手筋、ループ状継手筋１４ａ７がそれぞれ埋設される状態に行う。但し、図４（ｂ）に示すループ状継手筋１４ａ７は、鋼繊維コンクリート１４ａ１１に埋設されるようにする。
【００３９】
以上、本実施の形態によれば、以下のような効果を得ることができる。
【００４０】
▲１▼［スラブ本体設置工程］においては、スラブ本体１４ａが、その一対の側縁部１４ａ１が梁１３に対してそれぞれ載置される状態に設置される。［重ね継手筋配筋工程］においては、スラブ本体１４ａの側縁部１４ａ１と梁１３内部とにそれぞれ所定長さ跨る状態に重ね継手筋１４ｂが配筋される。［コンクリート打設工程］においては、上端筋１４ａ８の配筋後、スラブ本体１４ａ上部に対し、重ね継手筋１１４ｂが埋設される状態にコンクリート１４ａ１０が打設される。これにより、重ね継手筋１４ｂによって、梁１３とスラブ本体１４ａとが剛結されるため、スラブの振動性状が向上する。また、中間スラブ１４においては、下端筋１４ａ６が予め埋設されていて、一対の側縁部１４ａ１を繋ぐ方向に略沿ってプレストレスが導入されている。プレストレスが導入されていることで、スラブ本体１４ａを支保工なしで足場としても兼用できるとともに、従来のような地震時における曲モーメント対策が、スラブ本体１４ａの側縁部１４ａ１にハンチを形成することなく容易に行え、強度的に安定する。したがって、ラーメン式高架橋１０の施工を、スラブの側縁部にハンチを形成することなく強度的に安定させ、また、スラブの振動性状を向上させた状態に行うことができる。
【００４１】
▲２▼一対の側縁部１４ａ以外の側縁部１４ｂには、予め埋設された下端筋１４ａ６が外側に突出し、この突出部の先端部が内側に向けて折り曲げられて略Ｕ字状に形成されたループ状継手筋１４ａ７が、所定間隔で複数設けられている。したがって、前記一対の側縁部１４ａを繋ぐ方向と直交する方向に、スラブ本体１４ａを複数剛結することができる。したがって、スラブの振動性状がさらに向上する。
【００４２】
なお、本発明に係る建物躯体の構築工法は、本実施の形態に限定されることなく、本発明の主旨を逸脱しない範囲において種々の改良並びに設計の変更を行っても良い。
【００４３】
例えば、本実施の形態においては、ラーメン構造のコンクリート構造物としてラーメン式高架橋１０を記載しているが、特に限定されるものではなく、一般の建築物でもよいことは勿論である。
【００４４】
また、本実施の形態においては、柱や梁をコンクリートを現場打設して施工しているが、特に限定されるものではなく、適宜プレキャスト部材が用いられてもよいことは勿論である。
【００４５】
【発明の効果】
請求項１に記載の発明によれば、梁に対して互いに対向する一対の側縁部を繋ぐ方向に略沿ってプレストレスが導入されていることで、ハーフプレキャストコンクリートスラブを支保工なしで足場としても兼用できるとともに、従来のような地震時における曲モーメント対策が、スラブ本体の側縁部にハンチを形成することなく行え、強度的に安定する。また、前記重ね継手筋によって、梁とスラブ本体とが剛結されるため、スラブの振動性状が向上する。
【００４６】
請求項２に記載の発明によれば、請求項１に記載の発明と同様の効果が得られることは勿論のこと、前記継手部によって、前記一対の側縁部を繋ぐ方向と直交する方向に、前記スラブ本体を複数剛結することができる。したがって、スラブの振動性状がさらに向上する。
【００４７】
請求項３に記載の発明によれば、請求項１又は２に記載の発明と同様の効果が得られることは勿論のこと、ラーメン式高架橋の施工を、スラブの側縁部にハンチを形成することなく強度的に安定させ、また、スラブの振動性状を向上させた状態に行うことができる。
【００４８】
請求項４に記載の発明によれば、前記重ね継手筋によって、梁とスラブ本体とが剛結されるため、スラブの振動性状が向上する。また、前記ハーフプレキャストコンクリートスラブにおいては、下端筋が予め埋設されていて、前記一対の側縁部を繋ぐ方向に略沿ってプレストレスが導入されている。プレストレスが導入されていることで、ハーフプレキャストコンクリートスラブを支保工なしで足場としても兼用できるとともに、従来のような地震時における曲モーメント対策が、スラブ本体の側縁部にハンチを形成することなく容易に行え、強度的に安定する。したがって、ラーメン構造のコンクリート構造物の施工を、スラブの側縁部にハンチを形成することなく強度的に安定させ、また、スラブの振動性状を向上させた状態に行うことができる。
【図面の簡単な説明】
【図１】（ａ）は、本発明に係るハーフプレキャストコンクリートスラブ及びスラブの構築工法によって構築されるラーメン式高架橋を示す斜視図であり、（ｂ）は、本発明に係る中間スラブを示す斜視図である。
【図２】本発明に係る工法において、本発明に係る中間スラブが、梁に対して剛結された状況を示す、（ａ）は平断面図、（ｂ）は側断面図である。
【図３】（ａ）は、梁に対するスラブの固定状況を調べるための実験装置を示す断面図であり、（ｂ）は、在来工法によるモデル（図５参照）と本発明に係る工法によるモデル（図２参照）とを、（ａ）の実験装置を用いて実験した結果それぞれ得られた荷重ー変形関係を対比しながらグラフ化した図である。
【図４】（ａ）、（ｂ）は、本発明に係る中間スラブの継手部の一例を示す断面図であり、（ｃ）は、この継手部の疲労振幅強度を、実験値と計算値とで対比したグラフを示す図である。
【図５】従来の工法において、スラブが梁に対して剛結された状況を示す、（ａ）は平断面図、（ｂ）は側断面図である。
【符号の説明】
１０            ラーメン式高架橋（コンクリート構造物）
１３          梁
１４          中間スラブ（ハーフプレキャストコンクリートスラブ）
１４ａ１    （梁に載置される）一対の側縁部
１４ａ２    一対の側縁部以外の側縁部
１４ａ６    下端筋
１４ａ７    ループ状継手筋
１４ａ１０  コンクリート
【図１】
2004339867.tif 000003
【図２】
2004339867.tif 000004
【図３】
2004339867.tif 000005
【図４】
2004339867.tif 000006
【図５】
2004339867.tif 000007